(57)【要約】【課題】  鼻呼吸を楽にし、鼻の高低にも対応でき、且つマスク周縁部の隙間を無くし、且つ口臭などの嫌な臭いが鼻に付かないよう遮断し、また、睡眠中でもマスクが着用できるようにした、一つのマクで鼻部と口部を別々に覆う立体マスクを提供する。【解決手段】  鼻部を覆う立体ソフトマスクＡは、鼻呼吸を楽にし、鼻の高低にも対応できるギャザーＡ１，Ａ２を設け、且つ立体ソフトマスク周縁部に隙間が生じないよう細長パッドＦを設けて形成され、また、口部を覆う立体カップマスクＢは、口臭などの嫌な臭いを遮断し、鼻孔を塞がないようカバー部Ｂ１が４５°に傾斜している。立体ソフトマスクＡと立体カップマスクＢを接合部１で接合され、接合された立体マスクの外周補強と耳掛け紐を取付ける翼部Ｃ１，Ｃ２を備えたベースＣが接合され、また、平紐Ｄの調節とフックを兼ねた調節ボタン形フックＥを、翼部Ｃ２に左右互い違いに掛けることができる。【選択図】図１
0003147581.tif 000002
【実用新案登録請求の範囲】
【請求項１】
立体マスクは、鼻部を覆う立体ソフトマスクと口部を覆う立体カップマスクとで構成され、前記鼻部を覆う立体ソフトマスクは、埃や花粉等の侵入を防ぎ、鼻呼吸を楽にするための立体マスクで、部材は、通気性と伸縮性に富む薄地の平面状軟質不織布を数枚重ねて用いられ、鼻部と頬の一部を覆うように数枚重ねられた平面状軟質不織布を略蝶々形に裁断し、裁断された略蝶々形の中程には、鼻孔部の空間を広げ、鼻の高低にも対応できるよう折り込みギャザーが二ヶ所設けられ、また、鼻部を覆い前方に膨出させるために、略蝶々形でギャザーを設けた軟質不織布の真中から二つに折り、対面する接合可能な接合面を熱などで接合することで、鼻部を覆い前方に膨出した立体ソフトマスクが形成され、また、前記口部を覆う立体カップマスクは、埃や花粉等の侵入を防ぎ、口臭や喫煙後の嫌な臭いを防ぐための立体マスクで、部材は、通気性と伸縮性を有し、皮膚に圧迫跡の付きにくい厚地の平面状不織布が用いられ、口部を覆い顎に掛かるよう膨出させるために、厚地の平面状不織布を略ひょうたん形に裁断し、略ひょうたん形に裁断された不織布の真中から二つに折り、対面する接合可能な接合面を熱などで接合することで、口部を覆い顎に掛かり前方に膨出した立体カップマスクが形成され、形成された前記立体ソフトマスクと前記立体カップマスクとを熱などで接合することによって、一つのマスクで鼻部と口部を別々に覆うことを特徴とする立体マスク。
【請求項２】
前記立体ソフトマスクと前記立体カップマスクを接合して一つになった立体マスクの外周補強と、耳掛け紐を取付ける翼部を備えたベースが形成され、前記ベースの部材は、通気性と伸縮性を有する平面状の硬質不織布を用い、左右一対に形成されたベースを立体マスク外周に熱などで接合されてなる、請求項１記載の立体マスク。
【請求項３】
立体マスク着用時に、鼻の両側面と両頬の周囲に隙間が生じないよう、細長いパッドを前記立体ソフトマスクの内面縁部に設け、この細長いパッドの部材は、ウレタン系の低反発性スポンジ等で形成され、鼻根に接する所では平山で、鼻の両側面に接する所では略三角形で山形に膨らみ、両頬に接する所では平山で、立体カップマスクの上部まで達し、このパッドが鼻部周辺の隙間を塞ぐことで、埃や花粉等の侵入を防ぎ、また、冬季など呼吸時におこりえる眼鏡使用者のレンズ曇りを防ぐようにした、請求項１記載の立体マスク。
【請求項４】
前記立体マスクの支えは、伸縮性を有し耳に負担のかからない平紐と、平紐の調節とフフックを兼ねた調節ボタン形フックとで構成され、この調節ボタン形フックはポリエチレン樹脂等で形成され、前記ベース下部に備えられた翼部に、調節ボタン形フックを左右互い違いに掛けることで、耳掛け紐が後頭部から後頸部にかけてクロス掛けが出来るようにした、請求項１記載の立体マスク。
【考案の詳細な説明】
【技術分野】
【０００１】
本考案は、不織布からなる立体マスクに関するもので、詳しくは、鼻呼吸を楽にし、鼻の高低にも対応できるようにした鼻部を覆う立体マスクと、口臭や喫煙後などの嫌な臭いが鼻に付かないようにした口部を覆う立体マスクとを接合し、また、立体マスク着用時に生じやすい鼻の両側面と両頬の隙間を無くし、また、睡眠中でも立体マスクが外れることなく着用できるようにした、一つのマスクで鼻部と口部を別々に覆うようにした立体マスクに関する。
【背景技術】
【０００２】
従来の立体マスクは、通気性と伸縮性を有する不織布等で鼻と口を一緒に覆い、埃や花粉等の侵入を防ぎ、会話の困難や口紅が付着しないようにした立体マスクが考案されている。しかし、鼻と口を一緒に覆うため、自己の口臭や喫煙後などの嫌な臭いが鼻に付き、息苦しいなどの不快感を覚え、どうしても鼻呼吸から口呼吸になってしまうという問題を有している。また、伸縮性を有する不織布で形成された立体マスクでも、各人の鼻の高低によっては、立体マスクと鼻の両側面とが常に密着しないために隙間ができ易く、また、頬が痩せ細ると、立体マスクの周囲に隙間ができ易く、その隙間から埃や花粉等が侵入するおそれがあり、また、立体マスクと鼻の両側面に隙間が生じることで、冬季などの呼吸時では、眼鏡使用者のレンズが曇るという問題を有している。（例えば、特許文献１参照）
【０００３】
【特許文献１】特開２００６−４３２２７号公報
【考案の開示】
【考案が解決しようとする課題】
【０００４】
上記の立体マスクは、一つの空間で鼻と口を一緒に覆うため、自己の口臭や喫煙後などの嫌な臭いが鼻に付き、息苦しさが生じてしまう。また、伸縮性を有する不織布等で形成された立体マスクでも、鼻の高低によっては、鼻の両側面に隙間が生じやすく、また、頬が痩せ細ると隙間が生じてしまう。
本考案は上記の課題を解決するために、鼻部と口部を別々の部材で別々に覆う立体マスクを接合することで、鼻呼吸を楽にし、口臭や喫煙後の嫌な臭いを防ぎ、また、鼻部を覆う立体マスクの周縁部に隙間が生じないよう、鼻部を覆う立体マスクの内面周縁部に細長いパッドを設け、また、睡眠中でも立体マスクが着用できるようにした、一つのマスクで鼻部と口部を別々に覆う立体マスクを提供することを目的とする。
【課題を解決するための手段】
【０００５】
上記の目的を達成するために本考案における立体マスクは、一つの立体マスクに鼻部と口部を別々の部材で別々に覆い、埃や花粉等の侵入を防ぎ、鼻呼吸を楽にし、睡眠中でも着用できるようにした立体マスクを提供しょうとするもので、まず、鼻部を覆う立体ソフトマスクは、埃や花粉等の侵入を防ぎ、鼻呼吸を楽にし、鼻の高低にも対応できるようにするもので、部材は、通気性と伸縮性に富む薄地の平面状軟質不織布を数枚重ねて用いられ、形成においては、鼻部を覆うように立体的に膨出させるために、数枚重ねられた平面状軟質不織布を略四角形に裁断され、この略四角形に裁断された軟質不織布の上部を小さく略Ｖ字形にカットし、小さく略Ｖ字形カットされたＶ字の両端を、下目蓋を圧迫しないよう弓なりに裁断し、また、略四角形で軟質不織布の下部は大きく略Ｖ字形にカットされて、略四角形から略蝶々形となり、この略蝶々形の中程には、鼻呼吸を楽にし、鼻の高低にも対応できるよう折り込みギャザーが二ヶ所設けられ、このギャザーを設けた略蝶々形で上下の略Ｖ字形カットを中心に二つに折り、上部の略Ｖ字形カットしたＶ字形の縁部が対面する接合可能な接合面を熱などによって接合され、また、下部の大きく略Ｖ字形カットしたＶ字形の縁部が対面する接合面は、立体カップマスクと接合されて、鼻部を覆いギャザーを設けた立体ソフトマスクが形成される。また、鼻呼吸におけるリラックス感を得るために、立体ソフトマスクの軟質不織布に、シトラス系か森林浴系などの、ほのかな匂いをしみ込ませられることも望ましい。
【０００６】
また、口部を覆う立体カップマスクは、鼻と上唇との間の皮膚に接触しながら口部を覆い顎に掛かる立体カップマスクを形成するもので、部材は、通気性と伸縮性を有し、皮膚に圧迫跡が付きにくい厚地で平面状不織布が用いられ、形成においては、口部を覆い顎に掛かるよう膨出させるために、厚地で平面状不織布を略ひょうたん形に裁断され、この略ひょうたん形に裁断された不織布の真中から二つに折り、下部の曲線縁部が対面する接合可能な接合面を熱などによって接合することで、口部を覆い顎に掛かる立体カップマスクが形成される。前記立体ソフトマスクと前記立体カップマスクとの接合可能な接合面を熱などで接合されて、一つのマスクで鼻部と口部を別々に覆う立体マスクが形成される。
【０００７】
ベースにおいては、前記鼻部と口部を覆う立体マスクを接合して一つになった立体マスクの外周補強と、耳掛け紐を取付ける翼部を備えたベースを形成するもので、このベースの部材は、通気性と伸縮性を有する平面状の硬質不織布が用いられ、形成においては、立体マスクの外周縁部を補強し、耳掛け紐を取付ける翼部を備えた左右一対のベースに裁断され、このベースの上部は、立体ソフトマスクと同様に下目蓋を圧迫しないよう弓なりに裁断され、また、ベースの上部両端に設けた翼部は、耳掛け紐が熱などで接合できるよう形成され、また、ベース下部両端の翼部には、平紐の調節とフックを兼ねた調節ボタン形フックが掛けられるよう細長の穴が空けられ、この細長の穴の周りを熱によって強化されたベースが形成される。
【０００８】
パッドにおいては、立体マスク着用時に生じやすい鼻の両側面と両頬の隙間を無くすためのパッドで、このパッドは立体ソフトマスクの内面縁部に位置し、ベースの形幅に沿い立体カップマスクの上部まで達する細長パッドで、この細長パッドの形態は、山並みのような形をなし、鼻根に接するところでは低い平山で、鼻の両側面に接するところでは略三角形の山形で高くなり、また両頬に接するところでは平山になっていて、立体マスク着用時に略三角形のパッドの頂点がつぶれて鼻の両側面を塞ぎ、鼻根、両頬に接するパッドも肌に密着し、隙間を塞ぐようになっている。このパッドの部材は、ウレタン系の低反発性スポンジ等で形成され、形成された低反発性スポンジ等の表面は、肌触りの良い軟質不織布で覆われている。
【０００９】
また、冬季などの睡眠中におこりえる口呼吸での口腔乾燥等を防ぐために、睡眠中でも立体マスクが外れずに着用できるよう、耳掛け紐を後頭部から後頸部にかけてクロス掛けができるようにするもので、平紐は伸縮性を有し耳に負担のかからない平紐からなり、この平紐をベースの上部両端に設けた翼部に熱などで接合され、接合された平紐の先端には、前記調節ボタン形フックが取付けられ、前記ベースの下部両端に設けた翼部に、この調節ボタン形フックを左右互い違いに掛ければ、後頭部から後頸部にかけてクロス掛けとなり、睡眠中でも立体マスクが外れることなく着用することができる。
【００１０】
前記調節ボタン形フックの部材は、ポリエチレン樹脂等が用いられ、形成においては、平紐よりやや幅広い長方形で弾性を有する薄型の平板で、この長方形の平板に平紐が通る穴を等間隔に三ヶ所空けられ、手前一番目の穴は平紐が二本通る穴を空け、二番目の穴は平紐が一本通る穴で、三番目の穴は平紐が一本通る穴よりやや広い穴で、この三番目の穴の内面には鈍角で鋸状に加工され、また、平板の先はやや細くなりボタン形のフックが形成されている。形成された調節ボタン形フックに、平紐を一番目の穴から二番目、三番目の穴に通し、また一番目の穴に通す形で、三番目の穴による鋸状のツメが平紐の滑りを止めるため、平紐が抜けることがなく、また、平紐の調節もできるようになっている。
【考案の効果】
【００１１】
本考案は、上述のとおり構成されているので、次の記載する効果を奏する。
前記鼻部を覆う立体ソフトマスクと前記口部を覆う立体カップマスクとを接合とすることで、一つのマスクで二つの空間を保つ立体マスクが形成され、前記立体ソフトマスクは、通気性と伸縮性に富む薄地の軟質不織布を重ねて埃や花粉等の侵入を防ぎ、また、折り込みギャザーを設けることで鼻呼吸を楽にし、鼻の高低にも対応できるようになっている。また、前記立体カップマスクは、通気性と伸縮性を有する厚地の不織布を用い、埃や花粉等の侵入を防ぎ、且つ自己の口臭や喫煙後などの嫌な臭いが鼻に付かないよう遮断することができ、また、この立体カップマスクは一体型になっているため潰れにくく、カバー部が４５°方向に傾斜しているため、鼻孔を塞がず口部に十分な空間を保つことができる。
【００１２】
前記ベースは、二つの空間を保つ立体マスクの外周補強と耳掛け紐を取付ける翼部を備え、このベースは、立体ソフトマスクが特に軟質不織布で形成されているため、この立体ソフトマスクの形状を保ち、立体カップマスクともに外周を補強し、また、翼部に取付けた耳掛け紐の引く力が、ベース全体に分散するため、立体マスクが顔面に密着することができる。
【００１３】
前記細長パッドにおいては、立体マスク着用時に生じやすい鼻の両側面と両頬の隙間を塞ぐために、細長いパッドを立体ソフトマスクの内面縁部に設け、この細長パッドは、耳掛け紐の引く力で、鼻の両側面に接する略三角形のパッドの頂点が潰れて鼻の両側面を塞ぎ、また、鼻根と両頬に接するパッドも肌に密着することができる。また、冬季などの呼吸時において、鼻の両側面から息が漏れないため、眼鏡使用者のレンズが曇らずにすむ。
【００１４】
平紐と調節ボタン形フックにおいて、平紐は、伸縮性を有し耳に負担のかからない紐が
用いられ、また、調節ボタン形フックは、平紐の調節とフックを兼ねたもので、この調節ボタン形フックを前記ベース下部に設けた翼部に左右互い違いに掛けることで、後頭部から後頸部にかけてクロス掛けができ、睡眠中でも立体マスクが外れることなく着用でき、睡眠時に起こりえる口呼吸での口腔乾燥を防ぐことができる。
【考案を実施するための最良の形態】
【００１５】
本考案の立体マスクは、埃や花粉等の進入を防ぐために、通気性、伸縮性に富む薄地の軟質不織布が重ねられた不織布を用い、鼻の高低に対応でき鼻呼吸を楽にするためのギャザーを設けて、鼻部を覆う立体ソフトマスクが形成され、また、口臭や喫煙後の嫌な臭いを防ぐために、通気性、伸縮性を有する厚地の不織布を用いて、立体カップマスクが形成され、前記立体ソフトマスクと前記立体カップマスクを接合して、一つのマスクで二つの空間を保つ立体マスクが形成される。また、鼻の両側面と両頬に隙間が生じないよう、鼻部を覆う立体ソフトマスクの内面縁部に細長いパッドを設け、また、睡眠中でも立体マスクが着用できるよう、耳掛け紐の調節とフックを兼ねた調節ボタン形フックを、ベース下部の翼部に、左右互い違いに掛けることで、耳掛け紐が後頭部から後頸部にかけてクロス掛けが出来るようにした立体マスク。
【実施例】
【００１６】
考案の実施例を添付図面に従って説明する。
図１、図２において、一つのマスクで鼻部と口部を別々に覆う立体マスクの殆どが合成繊維の不織布で形成され、まず、鼻部を覆う立体ソフトマスクＡにおいては、鼻呼吸を楽に
し、埃や花粉等の侵入を防ぐために、薄地の軟質不織布が数枚重ねられて形成され、下目蓋を圧迫しないよう鼻根を中心に弓なり裁断Ａ３に裁断され、また、鼻の高低にも対応でき、必要に応じて鼻孔部の空間を広げ、鼻呼吸がスムーズにできるようギャザーＡ１、ギャザーＡ２が設けられている。立体ソフトマスクＡの形成において、さらに詳しくは、図３の鼻部を覆う立体ソフトマスクを形成するための平面概略図と、図４の鼻部を覆う立体ソフトマスクにギャザー部が折り込まれた平面概略図で説明する。
【００１７】
口部を覆う立体カップマスクＢは、通気性と伸縮性を有し、皮膚に圧迫跡が付きにくい厚地の不織布を用いて形成され、形成された立体カップマスクＢのカバー部Ｂ１は、鼻孔を塞がず鼻呼吸が楽に出来るよう、前記立体ソフトマスクＡと立体カップマスクＢとの接合面の角度により、カバー部Ｂ１の角度が４５°になるよう接合部１で接合される。立体カップマスクＢの形成において、さらに詳しくは、図５の立体カップマスクを形成するための平面概略図で説明する。
【００１８】
ベースＣは、接合されて二つの空間を保つ立体マスクの外周縁部を補強し、また、耳掛け紐を取付ける翼部Ｃ１、翼部Ｃ２を備えている。この翼部Ｃ１には、平紐Ｄが熱などで接合され、翼部Ｃ２には細長の穴、フック穴Ｃ３が空けられ、調節ボタン形フックＥが掛けられるようになっている。さらに詳しくは、図６のベースを形成するための平面図で説明する。
【００１９】
細長パッドＦは、鼻根に接するパッドＦ１、鼻の両側面に接するパッドＦ２、両頬に接するパッドＦ３からなる細長いパッドで、立体ソフトマスクＡの内面縁部に熱などで接合され、部材は、ウレタン系の低反発性スポンジ等で形成され、表面は肌触りの良い軟質不織布で覆われることが望ましい。この細長パッドＦの形成は、鼻根に接するパッドＦ１は、幅約５ｍｍ〜６ｍｍ、高さ約３ｍｍで、鼻の両側面に接するパッドＦ２は、幅約５ｍｍ〜６ｍｍ、高さ約５ｍｍ〜６ｍｍの略三角形で山形の膨らみになり、パッドＦ２から両頬に接するパッドＦ３の所では、幅約５ｍｍ〜６ｍｍ、高さ約３ｍｍの平山で、立体カップマスクＢの上部に達する所では段々低くなり、幅約５ｍｍ〜６ｍｍ、高さ約１ｍｍになっている。
【００２０】
平紐Ｄと調節ボタン形フックＥにおいて、平紐Ｄは伸縮性を有する紐で、幅は約５ｍｍ〜６ｍｍ、長さ約２００ｍｍで、この平紐ＤをベースＣ上部に設けた翼部Ｃ１にそれぞれ熱などで接合され、平紐Ｄの先端には平紐を調節しフックにもなる調節ボタン形フックＥが取付けられている。この調節ボタン形フックＥをベースＣ下部に設けた翼部Ｃ２のフック穴Ｃ３に左右互い違いに掛けることで、平紐Ｄが後頭部から後頸部にかけてクロス掛けとなり、睡眠中でも立体マスクが外れることなく着用することができる。調節ボタン形フックＥにおいて、さらに詳しくは、図７の調節ボタン形フックに平紐を通した断面図で説明する。
【００２１】
図３の鼻部を覆う立体ソフトマスクを形成するための平面概略図と、図４の鼻部を覆う立体ソフトマスクにギャザー部が折り込まれた平面概略図において、この立体ソフトマスクＡは、通気性と伸縮性に富む薄地の軟質不織布が数枚重ねられた略四角形の軟質不織布が用いられ、鼻部を覆うマスクを立体的に膨出させるために、略四角形の軟質不織布の上部を略Ｖ字形カットＧに小さくカットされ、この略Ｖ字形カットＧの両端は、下目蓋を圧迫しないよう弓なり裁断Ａ３に裁断され、また、下部も同様に略Ｖ字形カットＨに大きくカットされて、略四角形から略蝶々形となり、この略蝶々形で略Ｖ字形カットＧ，Ｈの中程に、折り込み部Ａ４，Ａ５が二ヶ所設けられ、図４で示すように折り込まれてギャザー部Ａ１，Ａ２が形成される。略蝶々形でギャザーを設けた不織布で、略Ｖ字形カットＧ，Ｈを中心に二つに折り、上部の略Ｖ字形カットＧが対面する接合部２を熱などで接合することで、鼻部を覆うように膨出し、また、下部の略Ｖ字形カットＨが対面する接合部３は、立体カップマスクＢの接合部４と接合されて立体ソフトマスクＡが形成される。
【００２２】
図５の立体カップマスクを形成するための平面概略図において、立体カップマスクＢは、通気性と伸縮性を有し、皮膚に圧迫跡が付きにくい厚地の不織布が用いられ、口部を覆うマスクを立体的に膨出させるために、図５で示すように、略ひょうたん形に裁断された不織布の真中から二つに折り、対面する接合部４を熱などで接合することで、鼻と上唇の間の皮膚に接触するカバー部Ｂ１を伴い、口部を覆い顎に掛かる立体カップマスクＢが形成される。形成された立体カップマスクＢの接合部５に、立体ソフトマスクＡの接合部１を重ね熱などで接合することで、立体カップマスクＢのカバー部Ｂ１が４５°に傾斜し鼻孔を塞がないようになっている。
【００２３】
図６のベースを形成するための平面図において、一つのマスクで二つの空間を保つ立体マスクの外周補強と、耳掛け紐を取付ける翼部を設けたベースＣを形成するもので、このベースＣの部材は、通気性と伸縮性を有する硬質不織布が用いられ、立体マスクの外周縁部を補強するように、ベースＣの幅が約１０ｍｍ〜１２ｍｍで、上部は立体ソフトマスクＡと同様に、下目蓋を圧迫しないよう弓なりに裁断され、また、ベースＣの上部両端には、耳掛け紐を取付ける翼部Ｃ１が設けられ、また、ベースＣの下部両端にも翼部Ｃ２が設けられ、この翼部Ｃ２には、調節ボタン形フックＥが掛けられるよう細長のフック穴Ｃ３が空けられ、穴が裂けないよう穴の周りを熱で強化されている。
【００２４】
図７の調節ボタン形フックに平紐を通した断面図において、調節ボタン形フックＥは、弾性を有するポリピレン樹脂系の薄い平板を用いて形成されるもので、縦幅約２３ｍｍ、横幅約９ｍｍ、厚み約１ｍｍ〜１．５ｍｍの略長方形で、この略長方形の平板に、平紐Ｄを通す穴が三ヶ所空けられ、一番目の穴Ｅ１は、平紐Ｄが二本通る穴で縦幅約３ｍｍ横幅約６ｍｍ、二番目の穴Ｅ２は、平紐Ｄが一本通る穴で縦幅約２ｍｍ横幅約６ｍｍ、三番目の穴Ｅ３は、平紐Ｄが一本半〜二本通る穴で縦幅約３ｍｍ横幅約６ｍｍ、この三番目の穴Ｅ３には、平紐Ｄが接する穴の内側に鈍角で鋸状Ｅ４に加工され、平紐Ｄのすべりを止めるようになっている。また、平紐Ｄを調節する平板の先はくびれて細くなり、直径約５ｍｍ〜６ｍｍの円形でボタン形フックＥ５が設けられている。
【図面の簡単な説明】
【００２５】
【図１】一つのマスクで鼻部と口部を別々に覆う立体マスク着用時の側面図である。
【図２】一つのマスクで鼻部と口部を別々に覆う立体マスクの斜視図である。
【図３】鼻部を覆う立体ソフトマスクを形成するための平面概略図である。
【図４】鼻部を覆う立体ソフトマスクにギャザー部が折り込まれた平面概略図である。
【図５】口部を覆う立体カップマスクを形成するための平面概略図である。
【図６】ベースを形成するための平面図である。
【図７】調節ボタン形フックに平紐を通した断面図である。
【符号の説明】
【００２６】
Ａ  立体ソフトマスク
Ｂ  立体カップマスク
Ｃ  ベース
Ｄ  平紐
Ｅ  調節ボタン形フック
Ｆ  細長パッド
Ｇ、Ｈ  略Ｖ字形カット
１，２，３，４，５  接合部
Ａ１、Ａ２  ギャザー部
Ａ３  弓なり裁断
Ａ４、Ａ５  折り込み部
Ｂ１  カバー部
Ｃ１、Ｃ２  翼部
Ｃ３  フック穴
Ｅ１  一番目の穴
Ｅ２  二番目の穴
Ｅ３  三番目の穴
Ｅ４  鋸状
Ｅ５  ボタン形フック
Ｆ１，Ｆ２、Ｆ３  パッド
【図１】
0003147581.tif 000003
【図２】
0003147581.tif 000004
【図３】
0003147581.tif 000005
【図４】
0003147581.tif 000006
【図５】
0003147581.tif 000007
【図６】
0003147581.tif 000008
【図７】
0003147581.tif 000009